(57)【要約】【課題】本発明は、開口部を介して外部に露出される複数のキートップにおける移動を適切に案内する案内部を有する携帯電子機器を提供することを目的とする。【解決手段】携帯電話機１は、操作部側筐体２に形成されるキー開口部１４ａと、通常位置と押圧位置との間を移動可能に構成される複数の入力操作キー部材１４ｂと、複数の孔部１４ｃと複数の入力操作キー部材１４ｂそれぞれを支持する支持部１４ｅとを有するキーフレーム４０Ｂと、支持部１４ｅにおける複数の入力操作キー部材１４ｂ側に配置され複数の入力操作キー部材１４ｂそれぞれにおける通常位置と押圧位置との間における移動を案内する案内部１４０と、を備える。【選択図】図７
2011049860.tif 000002
【特許請求の範囲】
【請求項１】
筐体と、
前記筐体に形成される開口部と、
一方側の面が前記開口部を介して前記筐体の外部に露出するよう前記筐体の内部に配設され、第１位置と前記第１位置よりも前記筐体の内部側である第２位置との間を移動可能に構成される複数のキートップと、
前記複数のキートップにおける他方側に配置されるラバーシートと、
前記ラバーシートにおける前記複数のキートップと反対側であって、前記複数のキートップそれぞれに対応すると共に、前記第１位置にあるキートップに押圧されず前記第２位置にあるキートップに押圧される位置に配置される複数のキースイッチと、
前記複数のキートップと前記ラバーシートとの間に配置され、前記複数のキースイッチそれぞれに対応する位置に形成される複数の孔部と、前記複数のキートップそれぞれを支持する支持部と、を有する支持部材と、
前記支持部における前記複数のキートップ側に配置され、前記複数のキートップそれぞれにおける前記第１位置と前記第２位置との間における移動を案内する案内部と、を備える
携帯電子機器。
【請求項２】
前記案内部は、
前記複数のキートップそれぞれにおける外縁の全部又は一部に沿って形成されると共に、一部が外部に露出して形成される
請求項１に記載の携帯電子機器。
【請求項３】
前記支持部材における前記複数のキートップと反対側に配置され、前記複数のキースイッチが実装される回路基板と、
前記回路基板に実装される１又は複数の第１発光体と、を備え、
前記案内部は、導光性部材で形成されると共に、前記支持部材における前記回路基板側に延びて前記１又は複数の第１発光体それぞれの近傍に延設される１又は複数の第１延設部を有して構成され、
前記１又は複数の第１発光体は、前記１又は複数の前記第１延設部側に第１光を発光する
請求項１又は２に記載の携帯電子機器。
【請求項４】
前記回路基板に実装される第２発光体と、を備え、
前記支持部材は、遮光性部材で形成され、前記ラバーシートと前記第１発光体との間に配置されると共に、端部が前記回路基板における表面に近接又は当接するように配置される第１遮光部を有し、
前記ラバーシートは、少なくとも前記複数のキートップそれぞれに対応する位置が導光性部材で形成され、
前記キートップは、全部又は一部が透光性部材で形成され、
前記第２発光体は、前記ラバーシート側に第２光を発光する
請求項３に記載の携帯電子機器。
【請求項５】
前記第２発光体は、前記ラバーシートにおける前記支持部に対応する領域に対向して前記回路基板に実装される
請求項４に記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、開口部から複数のキートップが外部に露出して配置されるタイプが存在する。
このタイプの携帯電話機は、例えば、開口部から露出して配置されユーザによる押圧操作により押下げられる複数のキートップと、複数のキートップよりも筐体の内部側に配置されるラバーシートと、複数のキートップを支持する支持部材と、ラバーシートを介して複数のキートップにより押圧される複数のキースイッチと、を有して構成される（例えば、特許文献１参照）。
【先行技術文献】
【特許文献】
【０００３】
【特許文献１】特開２００７−０７３３０１号公報
【発明の概要】
【発明が解決しようとする課題】
【０００４】
しかし、特許文献１の携帯電話機において、ユーザの押圧操作により押下げられる複数のキートップそれぞれは、押圧操作により加えられる力の方向によっては、適切な移動がなされない場合があった。例えば、押圧操作されたキートップが筐体の内部（筐体を形成するケース）の内部側に入り込んでしまう場合があった。
【０００５】
本発明は、開口部を介して外部に露出される複数のキートップにおける移動を適切に案内する案内部を有する携帯電子機器を提供することを目的とする。
【課題を解決するための手段】
【０００６】
本発明は、筐体と、前記筐体に形成される開口部と、一方側の面が前記開口部を介して前記筐体の外部に露出するよう前記筐体の内部に配設され、第１位置と前記第１位置よりも前記筐体の内部側である第２位置との間を移動可能に構成される複数のキートップと、前記複数のキートップにおける他方側に配置されるラバーシートと、前記ラバーシートにおける前記複数のキートップと反対側であって、前記複数のキートップそれぞれに対応すると共に、前記第１位置にあるキートップに押圧されず前記第２位置にあるキートップに押圧される位置に配置される複数のキースイッチと、前記複数のキートップと前記ラバーシートとの間に配置され、前記複数のキースイッチそれぞれに対応する位置に形成される複数の孔部と、前記複数のキートップそれぞれを支持する支持部と、を有する支持部材と、前記支持部における前記複数のキートップ側に配置され、前記複数のキートップそれぞれにおける前記第１位置と前記第２位置との間における移動を案内する案内部と、を備える携帯電子機器に関する。
【０００７】
また、前記案内部は、前記複数のキートップそれぞれにおける外縁の全部又は一部に沿って形成されると共に、一部が外部に露出して形成されることが好ましい。
【０００８】
また、前記支持部材における前記複数のキートップと反対側に配置され、前記複数のキースイッチが実装される回路基板と、前記回路基板に実装される１又は複数の第１発光体と、を備え、前記案内部は、導光性部材で形成されると共に、前記支持部材における前記回路基板側に延びて前記１又は複数の第１発光体それぞれの近傍に延設される１又は複数の第１延設部を有して構成され、前記１又は複数の第１発光体は、前記１又は複数の前記第１延設部側に第１光を発光することが好ましい。
【０００９】
また、前記回路基板に実装される第２発光体と、を備え、前記支持部材は、遮光性部材で形成され、前記ラバーシートと前記第１発光体との間に配置されると共に、端部が前記回路基板における表面に近接又は当接するように配置される第１遮光部を有し、前記ラバーシートは、少なくとも前記複数のキートップそれぞれに対応する位置が導光性部材で形成され、前記キートップは、全部又は一部が透光性部材で形成され、前記第２発光体は、前記ラバーシート側に第２光を発光することが好ましい。
【００１０】
また、前記第２発光体は、前記ラバーシートにおける前記支持部に対応する領域に対向して前記回路基板に実装されることが好ましい。
【発明の効果】
【００１１】
本発明によれば、開口部を介して外部に露出される複数のキートップにおける移動を適切に案内する案内部を有する携帯電子機器を提供することができる。
【図面の簡単な説明】
【００１２】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】操作部側筐体２における平面図である。
【図５】案内部１４０が配置されたキーフレーム４０Ｂの平面図である。
【図６】案内部１４０と第１ＬＥＤ１５０との位置関係を説明する図である。
【図７】図６におけるＡ―Ａ断面図である。
【図８】図７における領域Ｂの拡大図である。
【図９】入力操作キー部材１４ｂが通常位置にある状態を説明する部分断面図である。
【図１０】入力操作キー部材１４ｂが押圧位置にある状態を説明する部分断面図である。
【図１１】第２ＬＥＤ１５１が発光した状態を説明する部分断面図である。
【図１２】第２ＬＥＤ１５１が発光した場合における入力操作キー部材１４ｂの発光状態を説明する図である。
【図１３】第１ＬＥＤ１５０及び第２ＬＥＤ１５１が発光した状態を説明する部分断面図である。
【図１４】第１ＬＥＤ１５０及び第２ＬＥＤ１５１が発光した場合における案内部１４０及び入力操作キー部材１４ｂの発光状態を説明する図である。
【発明を実施するための形態】
【００１３】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１４】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１５】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００１６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１７】
また、複数の入力操作キー１４それぞれを構成する入力操作キー部材１４ｂ（キートップ）の周囲には、入力操作キー部材１４ｂの外周における全部又は一部を囲むようにして案内部１４０が形成される。案内部１４０は、導光性部材により形成される。案内部１４０には、後述する第１ＬＥＤ１５０（第１発光体）から発光された第１光が後述する第１延設部１４５を介して導光される。案内部１４０の具体的な構成は、後に詳述する。
【００１８】
音声入力部１２は、操作部側筐体２の長手方向における連結部４側と反対の外端部側に配置される。つまり、音声入力部１２は、携帯電話機１が開状態において一方の外端部側に配置される。
【００１９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２０】
表示部側筐体３は、外面がフロントパネル３ａと、フロントケース３ｂと、リアケース３ｃ（図３参照）と、リアパネル３ｄ（図３参照）とにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２１】
次いで、図２から図５により、操作部側筐体２及び表示部側筐体３の内部構造について説明する。図２は、操作部側筐体２に内蔵される部材の分解斜視図である。図３は、表示部側筐体３に内蔵される部材の分解斜視図である。
【００２２】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、アンテナ部９０と、バッテリリッド２ｃを備えたリアケース２ｂと、バッテリ８０とを備える。また、操作部側筐体２は、フロントケース２ａに形成されたキー開口部１３ａ、１４ａ、１５ａを有する。
【００２３】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、アンテナ部９０とが挟まれるようにして内蔵される。
【００２４】
フロントケース２ａには、携帯電話機１を折り畳んだ状態で表示部側筐体３の表示部２１と対向する内側面に、キー開口部１３ａ、キー開口部１４ａ（開口部）、キー開口部１５ａが形成される。
【００２５】
キー構造部４０は、操作部材４０Ａと、キーフレーム４０Ｂ（支持部材）と、キーシート４０Ｃ（ラバーシート）と、により構成される。
【００２６】
操作部材４０Ａは、複数のキー操作部材により構成される。具体的には、本実施形態において、操作部材４０Ａは、４個の機能設定操作キー部材１３ｂと、１５個の入力操作キー部材１４ｂ（キートップ）と、１個の決定操作キー部材１５ｂとにより構成される。ここで、入力操作キー部材１４ｂは、全部又は一部が透光性部材で形成される。これにより、入力操作キー部材１４ｂは、後述する第２ＬＥＤ１５１からの第２光を外部に透過（発光）させる。
【００２７】
機能設定操作キー部材１３ｂは、押圧面１０３がキー開口部１３ａを介して外部に露出するよう操作部側筐体２の内部に配設される。また、機能設定操作キー部材１３ｂは、後述するキースイッチ５１を押圧しない通常位置と、通常位置よりも操作部側筐体２における内部側であってキースイッチ５１を押圧する押圧位置とに移動可能に構成される。
【００２８】
複数の入力操作キー部材１４ｂ（キートップ）は、押圧面１０４（一方側の面）が開口部１４ａを介して外部に露出するよう操作部側筐体２の内部に配設される。また、入力操作キー部材１４ｂは、後述するキースイッチ５２を押圧しない通常位置（第１位置）と、通常位置よりも操作部側筐体２における内部側であってキースイッチ５１を押圧する押圧位置（第２位置）とに移動可能に構成される。
ここで、複数の入力操作キー部材１４ｂそれぞれは、複数の入力操作キー部材１４ｂそれぞれの周囲における全部又は一部に沿って形成される案内部１４０により、通常位置と押圧位置との間における移動が適切に案内される。
【００２９】
決定操作キー部材１５ｂは、押圧面１０５がキー開口部１５ａを介して外部に露出するよう操作部側筐体２の内部に配設される。また、決定操作キー部材１５ｂは、後述するキースイッチ５３を押圧しない通常位置と、通常位置よりも操作部側筐体２における内部側であってキースイッチ５３を押圧する押圧位置とに移動可能に構成される。
【００３０】
キーフレーム４０Ｂ（支持部材）は、複数の入力操作キー部材１４ｂとキーシートとの間に配置される。
キーフレーム４０Ｂは、複数のキースイッチ５２それぞれに対応する位置に形成される複数の孔部１４ｃと、複数の孔部１４ｃを囲むように形成され複数のキースイッチ５２それぞれを支持する支持部１４ｅと、を有する。
キーフレーム４０Ｂは、金属性の板状部材である。
【００３１】
キーフレーム４０Ｂにおける支持部１４ｅ上には、案内部１４０が配置される。案内部１４０については、後に詳述する。
キーフレーム４０Ｂにおける案内部１４０が配置される側の表面１３９ａ（複数の入力操作キー部材１４ｂ側の面）は、光反射性を有する。
また、キーフレーム４０Ｂにおける支持部１４ｅは、金属製の板状部材であるため遮光性を有する。
【００３２】
キーフレーム４０Ｂは、外縁側に形成される複数の挿通部１４７を有する。挿通部１４７は、後述する第１延設部１４５に対応する位置に形成される。
挿通部１４７は、挿通孔１４７ａと、挿通孔１４７ａの外形を構成する筒状壁部１４７ｃとを有する。
【００３３】
挿通孔１４７ａは、厚さ方向Ｚに延びるように形成される中空部である。挿通孔１４７ａは、直方形の中空部である。挿通孔１４７ａには、後述する第１延設部１４５が挿通される。
【００３４】
筒状壁部１４７ｃ（第１遮光部）は、挿通孔１４７ａの外形を構成する。筒状壁部１４７ｃは、厚さ方向Ｚに延びるように形成される。筒状壁部１４７ｃは、先端部がキー基板５０における表面に近接又は当接するように配置される。
筒状壁部１４７ｃは、後述する第１ＬＥＤ１５０を囲むようにして配置される。
筒状壁部１４７ｃにおけるキーシート４０Ｃ側の部分は、キーシート４０Ｃと第１ＬＥＤ１５０との間に配置される。
筒状壁部１４７ｃは、後述する第１ＬＥＤ１５０から発光された第１光が入力操作キー部材１４ｂ側（キーシート４０Ｃ側）に到達しないよう遮光する。（図６から図８参照）。
【００３５】
ここで、キーフレーム４０Ｂは、入力操作キー部材１４ｂの押圧による回路基板７０等への悪影響を防ぐための補強部材である。また、キーフレーム４０Ｂは、導電性の部材であり、入力操作キー部材１４ｂにおける静電気を逃がすための部材としても機能する。
【００３６】
キーシート４０Ｃ（ラバーシート）は、複数の入力操作キー部材１４ｂにおける押圧面１０４と反対の面側、すなわち複数の入力操作キー部材１４ｂよりも操作部側筐体２における内部側に配置される。
キーシート４０Ｃ（ラバーシート）は、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。複数の凸部１４ｄにおける入力操作キー部材１４ｂと反対側の面には、複数のキースイッチ５２それぞれに対応した押子９１が形成される。
【００３７】
複数の凸部１４ｄそれぞれは、後述するキースイッチ５２に対応する位置に形成されると共に、キーフレーム４０Ｂに形成される複数の孔部１４ｃに挿通して配置される。複数の凸部１４ｄそれぞれの表面には、所定の接着剤により入力操作キー部材１４ｂが接着される。キーシート４０Ｃは、少なくとも複数の入力操作キー部材１４ｂそれぞれに対応する領域が光透過性部材で形成される。
【００３８】
キー基板５０（回路基板）は、キーフレーム４０Ｂにおける複数の入力操作キー部材１４ｂと反対側に配置される。
キー基板５０は、キーシート４０Ｃ側に実装される複数のキースイッチ５１、５２、５３を有する。
【００３９】
キースイッチ５１、５２、５３は、キー基板５０におけるキーシート４０Ｃ側の実装面５０ａに実装（配置）される。複数のキースイッチ５１、５２、５３それぞれは、キー基板５０において操作部材４０Ａの機能設定操作キー部材１３ｂ、入力操作キー部材１４ｂ、決定操作キー部材１５ｂに対応する位置に配置される。また、キースイッチ５１、５２、５３それぞれは、機能設定操作キー部材１３ｂ、入力操作キー部材１４ｂ、決定操作キー部材１５ｂそれぞれが通常位置にある場合には押圧されず、押圧位置にある場合には押圧されるよう配置される。
【００４０】
キー基板５０に配置されるキースイッチ５１、５２、５３は、椀状に湾曲して立体的に形成された金属板のメタルドームを有する構造になっている。メタルドームは、その椀状形状の頂点が押子９１により押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００４１】
また、キー基板５０には、案内部１４０に導光される第１光を発光する複数の第１ＬＥＤ１５０（第１発光体）と、入力操作キー部材１４ｂを介して外部に透過される第２光を発光する複数の第２ＬＥＤ１５１（第２発光体）とが実装（配置）される。
複数の第１ＬＥＤ１５０それぞれは、後述する案内部１４０に形成される第１延設部１４５に対向して配置される。複数の第１ＬＥＤ１５０それぞれは、第１延設部１４５に向けて第１光を発光する。複数の第１ＬＥＤ１５０それぞれから発光された第１光は、案内部１４０により導光されると共に、案内部１４０における外部に露出した発光面１４０ａを透過（発光）する。ここで、複数の第１ＬＥＤ１５０における配置や第１延設部１４５との位置関係等については、後に詳述する。
【００４２】
また、キー基板５０は、複数の第１貫通孔１９１を有する。第１貫通孔１９１は、キーフレーム４０Ｂに形成される挿通孔１４７ａ及びケース体６０に形成される第２貫通孔１９２に対応して形成される。複数の第１貫通孔１９１それぞれには、複数の第１延設部１４５それぞれにおける先端部が挿入される（図７及び図８参照）。
【００４３】
複数の第２ＬＥＤ１５１それぞれは、後述する通り、キーシート４０Ｃにおけるキーフレーム４０Ｂの支持部１４ｅに対応する領域に対向して配置される。すなわち、複数の第２ＬＥＤ１５１それぞれは、キーシート４０Ｃを介してキーフレーム４０Ｂにおける支持部１４ｅに対向して配置される。複数の第２ＬＥＤ１５１それぞれは、キーシート４０Ｃ側に向けて第２光を発光する。複数の第２ＬＥＤ１５１それぞれから発光された第２光は、キーシート４０Ｃを透過する。透過した第２光の一部は、キーフレーム４０Ｂにおける支持部１４ｅに遮光される。また、透過した第２光の一部は、キーフレーム４０Ｂにおける孔部１４ｃに配置される入力操作キー部材１４ｂから外部に透過する。
【００４４】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００４５】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００４６】
ケース体６０は、複数の第２貫通孔１９２を有する。第２貫通孔１９２は、キーフレーム４０Ｂに形成される挿通孔１４７ａ及びキー基板５０に形成される第１貫通孔１９１に対応して形成される。
複数の第２貫通孔１９２それぞれには、複数の第１延設部１４５それぞれにおける先端部が挿入される。
【００４７】
回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４８】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００４９】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００５０】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００５１】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００５２】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００５３】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００５４】
続けて、図４から図８より、案内部１４０の形状や、案内部１４０と第１ＬＥＤ１５０及び第２ＬＥＤ１５１との位置関係等について、詳述する。
図４は、操作部側筐体２における平面図である。図５は、案内部１４０が配置されたキーフレーム４０Ｂの平面図である。図６は、案内部１４０と第１ＬＥＤ１５０との位置関係を説明する図である。図７は、図６におけるＡ―Ａ断面図である。図８は、図７における領域Ｂの拡大図である。
【００５５】
図４に示すように、案内部１４０は、各入力操作キー部材１４ｂにおける外周の全部又は一部に沿って配置される。
また、図５に示すように、案内部１４０は、キーフレーム４０Ｂにおける表面１３９ａ上に配置される。案内部１４０は、表面１３９ａから操作部側筐体２の外部側に突出した凸状部が支持部１４ｅに沿うように配置される（図７参照）。
【００５６】
案内部１４０は、各入力操作キー部材１４ｂが載置される部分をあけて配置される。案内部１４０は、各入力操作キー部材１４ｂが配置及び移動する空間を形成するように配置される。案内部１４０は、凸状部が入力操作キー部材１４ｂを囲むように配置されるので、複数の入力操作キー部材１４ｂそれぞれにおける通常位置と押圧位置との間の移動を案内する。
図４に示すように、入力操作キー部材１４ｂそれぞれは、案内部１４０により幅方向Ｘ及び長手方向Ｙへの移動が規制された状態で配置される。入力操作キー部材１４ｂは、案内部１４０により厚さ方向Ｚ（ユーザによる押圧方向）に案内される。
【００５７】
また、図４に示すように、案内部１４０は、操作部側筐体２の外部に露出して配置される発光面１４０ａを有する。発光面１４０ａは、後述する第１ＬＥＤ１５０から発光され該案内部１４０により導光された第１光を外部に向けて透過（発光）させる。
ここで、操作部側筐体２において、第１ＬＥＤ１５０から発光された第１光は、案内部１４０における発光面１４０ａから透過（発光）されると共に、第２ＬＥＤ１５１から発光された第２光は、キーシート４０Ｃを介して複数の入力操作キー部材１４ｂそれぞれから透過される。そして、案内部１４０の発光面１４０ａから透過（発光）される第１光と、複数の入力操作キー部材１４ｂから透過（発光）される第２光とは、互いに混ざらず操作部側筐体２の外部に透過（発光）される。
【００５８】
次いで、図６から図８に示すように、案内部１４０は、本体部１４４と、本体部１４４から延出して形成される複数の第１延設部１４５とを有する。
本体部１４４は、キーフレーム４０Ｂにおける支持部１４ｅ上に配置される。
本体部１４４における発光面１４０ａと反対側の所定部に第１延設部１４５が形成される。
【００５９】
図６及び図７に示すように、本実施形態において、案内部１４０は、外周側に形成される６つの第１延設部１４５を有する。
図７及び図８に示すように、第１延設部１４５は、キーフレーム４０Ｂに形成される挿通孔１４７ａに挿通して配置される。
【００６０】
第１延設部１４５は、延出部１４６ａと、貫通部１４６ｂとを有する。
延出部１４６ａは、本体部１４４の厚さ方向Ｚにおける操作部側筐体２の内部側に形成される。延出部１４６ａは、本体部１４４から厚さ方向Ｚにおける操作部側筐体２の内部側に延出すると共に、幅方向Ｘ又は長手方向Ｙに延出して形成される。
延出部１４６ａは、第１ＬＥＤ１５０に対向して配置される。延出部１４６ａは、第１ＬＥＤ１５０における発光面１５０ａに対向して配置される。
【００６１】
貫通部１４６ｂは、延出部１４６ａの厚さ方向Ｚにおける操作部側筐体２の内部側に形成される。貫通部１４６ｂは、延出部１４６ａからキー基板５０側に延びて形成される。
貫通部１４６ｂは、先端部がキー基板５０に形成される第１貫通孔１９１及びケース体６０に形成される第２貫通孔１９２に貫通して配置される。貫通部１４６ｂは、第１貫通孔１９１及び第２貫通孔１９２に貫通して配置されることで、第１延設部１４５を位置決め固定する。
貫通部１４６ｂは、挿通部１４７から第１貫通孔１９１及び第２貫通孔１９２にわたって配置される。
【００６２】
図７及び図８に示すように、第１ＬＥＤ１５０は、キー基板５０に実装される。第１ＬＥＤ１５０は、挿通部１４７の挿通孔１４７ａ内に配置される。第１ＬＥＤ１５０は、筒状壁部１４７ｃに囲まれるようにして配置される。
第１ＬＥＤ１５０は、案内部１４０における一部と対向して配置される。第１ＬＥＤ１５０は、案内部１４０における第１延設部１４５に対向して配置される。第１ＬＥＤ１５０は、第１延設部１４５における延出部１４６ａに対向して配置される。
【００６３】
第１ＬＥＤ１５０は、延出部１４６ａ側に形成される発光面１５０ａを有する。第１ＬＥＤ１５０は、発光面１５０ａが第１延設部１４５に対向するようにして配置される。第１ＬＥＤ１５０は、発光面１５０ａが第１延設部１４５の延出部１４６ａに対向するようにして配置される。
第１ＬＥＤ１５０は、案内部１４０側に第１光を発光する。第１ＬＥＤ１５０は、第１延設部１４５側に第１光を発光する。第１ＬＥＤ１５０は、延出部１４６ａ側に第１光を発光する。
【００６４】
第１ＬＥＤ１５０から発光された第１光は、延出部１４６ａから入光すると共に、本体部１４４内において導光され、発光面１４０ａから外部に出光（発光）される。ここで、第１ＬＥＤ１５０から発光され入力操作キー部材１４ｂ側に向かう第１光の一部は、筒状壁部１４７ｃにより遮光され、キーシート４０Ｃ側には到達しない。
【００６５】
図７に示すように、第２ＬＥＤ１５１は、キー基板５０に実装される。第２ＬＥＤ１５１は、キーシート４０Ｃにおけるキーフレーム４０Ｂの支持部１４ｅに対応する領域に対向して配置される。第２ＬＥＤ１５１は、キーシート４０Ｃを介して支持部１４ｅと対向して配置される。第２ＬＥＤ１５１は、遮光性の支持部１４ｅを挟んで案内部１４０と対向して配置される。
【００６６】
第２ＬＥＤ１５１は、キーシート４０Ｃ側に形成される発光面１５１ａを有する。第２ＬＥＤ１５１は、発光面１５１ａがキーシート４０Ｃにおけるキーフレーム４０Ｂの支持部１４ｅに対応する領域に対向するようにして配置される。
第２ＬＥＤ１５１は、キーシート４０Ｃ側に第２光を発光する。第２ＬＥＤ１５１は、キーシート４０Ｃにおけるキーフレーム４０Ｂの支持部１４ｅに対応する領域側に第２光を発光する。
【００６７】
第２ＬＥＤ１５１から発光された第２光の一部は、キーシート４０Ｃ及び入力操作キー部材１４ｂを透過して外部に出光（発光）する。
また、第２ＬＥＤ１５１から発光された第２光の一部は、キーシート４０Ｃにおける支持部１４ｅに対応する領域を透過すると共に、支持部１４ｅにより遮光される。
キーシート４０Ｃにおける支持部１４ｅに対応する領域に向けて発光された第２光の一部は、直接的には支持部１４ｅにおける案内部１４０側に出光されない。
【００６８】
続けて、図９及び図１０により、ユーザが入力操作キー部材１４ｂを押圧操作した場合における案内部１４０の作用について説明する。
図９は、入力操作キー部材１４ｂが通常位置にある状態を説明する部分断面図である。図１０は、入力操作キー部材１４ｂが押圧位置にある状態を説明する部分断面図である。
【００６９】
図９に示すように、ユーザに操作されない通常状態において、入力操作キー部材１４ｂは、通常位置に配置される。通常位置において、入力操作キー部材１４ｂは、案内部１４０における端部側の領域に囲まれるようにして配置される。入力操作キー部材１４ｂが通常位置にある場合において、キーシート４０Ｃに形成される押子９１は、キースイッチ５２の上面に載置された状態にある。
【００７０】
次いで、ユーザが通常位置にある入力操作キー部材１４ｂを矢印Ｆ方向に押圧した場合、図１０に示すように、入力操作キー部材１４ｂは、通常位置から押圧位置に移動される。入力操作キー部材１４ｂが押圧位置に移動されることで、押子９１は、キースイッチ５２の上面を押し下げる。
ここで、案内部１４０は、入力操作キー部材１４ｂにおける押圧方向（厚さ方向Ｚ）への移動を案内する。案内部１４０は、厚さ方向Ｚへ移動する入力操作キー部材１４ｂの幅方向Ｘ及び長手方向Ｙへの移動を規制する。つまり、案内部１４０は、ユーザから矢印方向Ｆへ押圧された入力操作キー部材１４ｂを、幅方向Ｘや長手方向Ｙへの移動を規制しながら厚さ方向Ｚにおける内部側に案内する。
【００７１】
続けて、図１１から図１４により、第１ＬＥＤ１５０及び第２ＬＥＤ１５１が発光した場合における案内部１４０の作用を説明する。
図１１は、第２ＬＥＤ１５１が発光した状態を説明する部分断面図である。図１２は、第２ＬＥＤ１５１が発光した場合における入力操作キー部材１４ｂの発光状態を説明する図である。図１３は、第１ＬＥＤ１５０及び第２ＬＥＤ１５１が発光した状態を説明する部分断面図である。図１４は、第１ＬＥＤ１５０及び第２ＬＥＤ１５１が発光した場合における案内部１４０及び入力操作キー部材１４ｂの発光状態を説明する図である。
【００７２】
図１１に示すように、第２ＬＥＤ１５１が第２光を発光した場合、発光された第２光は、対向して配置されるキーシート４０Ｃを透過して外部側へ向かう。
キーシート４０Ｃを透過した第２光の一部は、外側に配置される入力操作キー部材１４ｂを透過する。
また、キーシート４０Ｃを透過した第２光の一部は、外側に配置されるキーフレーム４０Ｂにおける支持部１４ｅに遮光される。
そして、図１２に示すように、第２ＬＥＤ１５１が発光した場合、入力操作キー部材１４ｂから第２光が透過（発光）される。
【００７３】
次いで、図１３に示すように、第２ＬＥＤ１５１に加えて、第１ＬＥＤ１５０が第１光を発光した場合、発光された第１光は、対向して配置される第１延設部１４５から入光すると共に、本体部１４４において導光される。本体部１４４において導光された第１光は、発光面１４０ａから外部に発光される。
ここで、上述の通り、第２ＬＥＤ１５１から発光された第２光は、支持部１４ｅにより遮光されるので、案内部１４０に入光しない。また、第１ＬＥＤ１５０から発光された第１光は、筒状壁部１４７ｃにより遮光されるので、入力操作キー部材１４ｂに入光しない。
【００７４】
図１４に示すように、第１ＬＥＤ１５０及び第２ＬＥＤ１５１が発光した場合、案内部１４０から第１光が透過（発光）されると共に、入力操作キー部材１４ｂから第２光が透過（発光）される。
ここで、上述の通り、案内部１４０において、第１光と第２光とが混ざって発光されない。また、入力操作キー部材１４ｂにおいて、第１光と第２光とが混ざって発光されない。
【００７５】
本実施形態によれば、入力操作キー部材１４ｂの移動を適切に案内する案内部１４０を有する携帯電話機１を提供することができる。携帯電話機１は、キーフレーム４０Ｂにおける一方側に案内部１４０を設けることで、簡素な構成で入力操作キー部材１４ｂを適切に移動させることができる。
【００７６】
また、本実施形態によれば、案内部１４０を発光部材として利用しているので、案内部１４０の更なる有効利用を図ることができる。
【００７７】
また。本実施形態によれば、案内部１４０に第１延設部１４５を設けているので、第２ＬＥＤ１５１と同じキー基板５０に実装された第１ＬＥＤ１５０からの第１光を案内部１４０を介して外部に発光させることができる。
【００７８】
また、本実施形態によれば、第１ＬＥＤ１５０から発光された第１光が筒状壁部１４７ｃにより遮光されるので、第１光と第２光とが混ざり合うことが抑制される。また、第２ＬＥＤ１５１から発光された第２光が支持部１４ｅにより遮光されるので、第１光と第２光が混ざり合うことが抑制される。
上述より、案内部１４０から発光させる光と、入力操作キー部材１４ｂから発光させる光とを区別することができる。また、これにより、携帯電話機１は、簡素な構成で操作部側筐体２における外部に導かれる光の多様性を高めることができる。
【００７９】
また、本実施形態によれば、外部側から案内部１４０、遮光性のキーフレーム４０Ｂ、光透過性のキーシート４０Ｃ、第２ＬＥＤ１５１の順で配置される。
これにより、携帯電話機１は、第２ＬＥＤ１５１からの第２光が案内部１４０に入光しないように構成される。携帯電話機１は、案内部１４０において、第１光と第２光とが混ざり合うことを抑制できる。
また、これにより、案内部１４０が押圧された場合でも、キーフレーム４０ｂにより、第２ＬＥＤが保護される。
【００８０】
また、本実施形態によれば、キーフレーム４０Ｂの表面１３９ａが光反射性を有するので、第１延設部１４５に入光した第１光が案内部１４０全体にわたって好適に導光及び出光される。
【００８１】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８２】
また、本実施形態において、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００８３】
また、本実施形態において、案内部１４０を入力操作キー部材１４ｂに対応するように形成したが、これに限定されず、例えば、機能設定操作キー部材１３ｂや決定操作キー部材１５ｂに対応するように形成してもよい。
【００８４】
また、本実施形態においては、案内部１４０はキーフレーム４０Ｂ上に配置される構成となっているが、本発明はこれに限定されず、キーフレーム４０Ｂにおける入力操作キー部材１４ｂ側であれば、案内部１４０がキーフレーム４０Ｂと一体形成される構成であってもよい。
【００８５】
また、本実施形態においては、案内部１４０の第１延設部１４５は第１ＬＥＤ１５０と対向する位置まで延設されているが、本発明はこれに限定されず、第１ＬＥＤ１５０により発光される第１光が入光される位置まで延設されていれば、例えば第１ＬＥＤ１５０の近傍に延設されていてもよい。
【００８６】
また、本実施形態においては、キーフレーム４０Ｂは金属製で遮光性を有し、かつ案内部１４０が配置される側の表面１３９ａが光反射性を有する構成となっているが、本発明はこれに限定されず、表面１３９ａと反対側の面が光反射性を有する構成であってもよい。このような構成を採用することにより、キーシート４０Ｃにおいてキーフレーム４０Ｂの支持部１４ｅに対応する領域に入光される第２ＬＥＤ１５１からの第２光がキーシート４０Ｃ全体にわたって好適に導光される。
【符号の説明】
【００８７】
１          携帯電話機
２          操作部側筐体
３          表示部側筐体
１４ａ      開口部
１４ｂ      入力操作キー部材
１４ｃ      孔部
１４ｅ      支持部
４０Ｂ      キーフレーム
４０Ｃ      キーシート
５２        キースイッチ
１４０      案内部
１４４      本体部
１４５      第１延設部
１４６ａ    延出部
１４６ｂ    貫通部
１４７      挿通部
１４７Ｃ    筒状壁部
【図１】
2011049860.tif 000003
【図２】
2011049860.tif 000004
【図３】
2011049860.tif 000005
【図４】
2011049860.tif 000006
【図５】
2011049860.tif 000007
【図６】
2011049860.tif 000008
【図７】
2011049860.tif 000009
【図８】
2011049860.tif 000010
【図９】
2011049860.tif 000011
【図１０】
2011049860.tif 000012
【図１１】
2011049860.tif 000013
【図１２】
2011049860.tif 000014
【図１３】
2011049860.tif 000015
【図１４】
2011049860.tif 000016